(57)【要約】【課題】エリアの出入口に設けた携帯電話使用制限信号発生装置からの信号を受信した携帯電話機がエリア内外において所望の制御状態を確実に維持し得るシステムを提供する【解決手段】建物内で携帯電話機の使用ができない場所（例えば病院等）の出入口通路の屋外側と屋内（建物内）側に、第１，第２のブルートゥース固定局３０ａ、３０ｂを設置する。第１のブルートゥース固定局３０ａは、出入口通路の屋外側付近のみをカバーする微弱な電波により携帯電話機を通常の受信待ち受け状態に切り替えるパワーオン信号を送信する機能を有している。一方、第２のブルートゥース固定局３０ｂは、出入口通路の屋内（建物内）側付近のみをカバーする微弱な電波により携帯電話機をスリープ状態に切り替えるスリープ信号を送信する機能を有している。【選択図】        図１
2004153325.tif 000002
【特許請求の範囲】
【請求項１】
携帯電話機の使用を制限するエリアの出入口通路の前記エリア外に面する側に、携帯電話機を受信待ち受け状態に切り替えるパワーオン信号を送信する第１の通信手段を設置し、前記出入口通路の前記エリア内に面する側に、携帯電話機をスリープ状態に切り替えるスリープ信号を送信する第２の通信手段を設置し、携帯電話機に、前記第１または第２の通信手段から送信される前記信号を受信することにより、該携帯電話機を受信待ち受け状態またはスリープ状態に切り替える制御手段を備えたことを特徴とする携帯電話機の使用制限システム。
【請求項２】
前記第１の通信手段は、前記出入口通路の前記エリア外側付近のみをカバーする微弱な電波により携帯電話機を受信待ち受け状態に切り替えるパワーオン信号を送信する機能を有する第１のブルートゥース固定局を構成し、前記第２の通信手段は、前記出入口通路の前記エリア内側付近のみをカバーする微弱な電波により携帯電話機をスリープ状態に切り替えるスリープ信号を送信する機能を有する第２のブルートゥース固定局を構成し、前記携帯電話機には、前記第１及び第２のブルートゥース固定局と通信を行うブルートゥース通信部が設けられていることを特徴とする請求項１記載の携帯電話機の使用制限システム。
【請求項３】
前記携帯電話機は、前記第１の通信手段または前記第２の通信手段からの前記信号を受信しないときには、現在設定されている受信待ち受け状態またはスリープ状態を継続することを特徴とする請求項１または２に記載の携帯電話機使用制限システム。
【請求項４】
請求項１〜３のいずれかに記載の携帯電話機使用制限システムに用いられる携帯電話機であって、前記第１の通信手段から送信されるパワーオン信号を受信したとき通常の受信待ち受け状態に切り替え、前記第２の通信手段から送信されるスリープ信号を受信したときスリープ状態に切り替える制御を行う制御手段を備えていることを特徴とする携帯電話機。
【請求項５】
前記第２の通信手段から送信されるスリープ信号を受信したときスリープ状態への自動切替を行うか否かを設定する手段を備えていることを特徴とする請求項４に記載の携帯電話機。
【請求項６】
前記スリープ状態への自動切替を行わないように設定されている状態で前記スリープ信号を受信したとき、該携帯電話機の表示部に前記スリープ状態への自動切替が解除されていることを表示する手段を有していることを特徴とする請求項５に記載の携帯電話機。
【発明の詳細な説明】
【０００１】
【発明の属する技術分野】
本発明は、携帯電話機の使用制限システムに関し、携帯電話機が使用制限エリア内にある時に、該携帯電話機の使用を制限するシステムに関する。
【０００２】
【従来の技術】
近年、携帯電話機は急速に普及しており、どんな場所においても携帯電話の使用が可能となってきている。一方、利用者が携帯電話機を使用するマナーについても問題視されており、携帯電話機の使用を自粛するべき公共の場所で他人に迷惑を掛けたり、あるいは携帯電話機から発する高周波によって医療機器等が誤動作をしてしまうケースが発生している。そのため、特定の場所における携帯電話機の使用を自動的に制限する技術が従来から種々提案されている。
【０００３】
例えば、特許文献１には、携帯電話使用禁止区域の入口に微弱電波による使用制限信号を発信する使用制限無線局を配置し、出口に微弱電波による使用制限解除信号を発信する使用制限解除無線局を配置しておき、一方、携帯電話機には、これらに微弱電波を受信して該携帯電話機の発着信を不能に制御するとともに使用制限場所であることを表示する手段を設けることにより、使用禁止区域内での携帯電話機の使用を制限する技術が記載されている。
【０００４】
また、特許文献２には、携帯電話使用制限区域の出入口に、電源オフや着信音量消去といったその区域内で制限する携帯電話機の機能制限情報を微弱電波により発信する切替信号発信装置を設けておき、携帯電話機がこの使用制限エリアに入る際に受信した切替信号情報により、その指定された機能を自動的に制限し、携帯電話機がこの使用制限エリアから出る際に再度受信した上記切替信号情報により、前記制限された指定機能を自動的に解除する技術が記載されている。
【０００５】
また、特許文献３には、携帯電話機による通話を制限しようとする電車内、あるいは映画館などに、予め携帯電話の通話を制限する情報を発信する送信機を設置し、一方、携帯電話機には、この送信機からの制限信号情報を受信して、制限信号情報により指定された機能、例えば音声通話機能を停止する手段を設けることが記載されている。
【０００６】
また、特許文献４には、携帯電話機と、電車内等の携帯電話機の使用を制限する場所に設置された制御装置との間で、ブルートゥース（Ｂｌｕｅｔｏｏｔｈ）規格等に準じた無線通信を行う携帯電話機制御システムを構成し、携帯電話機が使用制限エリア内に在るとき、携帯電話機と制御装置との間で通信を行って携帯電話機の電源をオフし、電源がオフされてから所定時間が経過する毎に制御装置に対して確認信号を送信し、この確認信号に対する制御装置からの応答信号が受信できないとき、該携帯電話機の電源をオンに切り換えて通常の受信待ち状態にする技術が記載されている。
【０００７】
【特許文献１】
特開２００１−９５０６０号公報
【特許文献２】
特開２００１−３３９７６１号公報
【特許文献３】
特開２００２−４４７３６号公報
【特許文献４】
特開２００２−７８００６号公報
【０００８】
【発明が解決しようとする課題】
上記各公報に記載された方法によれば、利用者が携帯電話機の使用を自粛すべき場所（電車内や病院建物内等）で携帯電話機の電源をオフ、オンする手間を省く事ができ、また、利用者が携帯電話機の電源をオフする事を忘れた場合においても自動的に受信待ち受け動作状態からスリープ動作状態に切り替えて携帯電話機の機能を停止させたり、あるいは通話等の特定の機能のみを停止させることが可能であり、近くの医療機器等への弊害を防ぐことができ、あるいは他人への迷惑防止になるが、上記各公報に記載されたシステムには、それぞれ以下の問題点がある。
【０００９】
例えば特許文献３あるいは４に記載された発明では、携帯電話機の使用を制限する電車内あるいは映画館などに、予め携帯電話の使用を制限する情報を発信する送信機を設置しているので、携帯電話の使用を制限するエリアが広い場合には、エリア全体をカバーする送信出力を有する送信機を設置するか、あるいはエリア内に複数の送信機を設置してエリア全体をカバーしなければならないという問題があり、逆に電波障害が発生したり、あるいはコストアップの要因となる。
【００１０】
また、特許文献１に記載された発明では、携帯電話使用禁止区域の入口に微弱電波による使用制限信号を発信する使用制限無線局が配置され、出口に微弱電波による使用制限解除信号を発信する使用制限解除無線局が配置されているので、無線局として、入口あるいは出口領域のみをカバーできる微弱な電波を送信する送信機を備えるだけでよいが、携帯電話機使用者が、誤って出口側から携帯電話使用禁止区域内に入った場合、あるいは携帯電話使用禁止区域内で出口に接近したときに、携帯電話使用禁止区域内で使用制限解除状態となってしまう恐れがあり、また、入口側から誤って携帯電話使用禁止区域外へ出た場合、あるいは携帯電話使用禁止区域外で入口に接近したときに、携帯電話使用禁止区域外にもかかわらず携帯電話機が使用制限状態にされて発着信が不能になってしまう場合がある。
【００１１】
また、特許文献２に記載された発明では、携帯電話の使用を制限したいエリアの出入口に切替信号発信装置を備え、携帯電話機がこの出入口からこのエリアに入るときに切替信号によって指定された使用制限状態となり、この出入口から出るときに同じ切替信号を再度受信すると解除制御されるため、エリア外に出ると自動的に使用制限解除状態となるので、切替信号発信装置としては特許文献１に記載されたものと同様に微弱な電波を送信する送信機で実現できるが、携帯電話機がこの出入口に接近したときに、使用制限エリア外にもかかわらず携帯電話機が切替信号を受信して使用制限状態となったり、あるいは使用制限エリア内にもかかわらず携帯電話機が再度切替信号を受信して使用制限解除状態となってしまうことがある。
【００１２】
本発明の目的は、上記問題点に鑑み、携帯電話の使用を制限したいエリアの出入口の領域のみをカバーできる微弱な電波を送信する携帯電話着信呼び出し音制限信号発生装置を備えるとともに、この携帯電話使用制限信号発生装置からの信号を受信した携帯電話機がエリア内外において所望の制御状態に確実に切り替わり、且つその状態を維持し得るシステムを提供することにある。
【００１３】
【課題を解決するための手段】
本発明の携帯電話機の使用制限システムは、携帯電話機の使用を制限するエリア（例えば病院の建物内、航空機内等）の出入口通路の前記エリア外に面する側に、携帯電話機を通常の受信待ち受け状態に切り替えるパワーオン信号を送信する第１の通信手段［例えば、ブルートゥース（Ｂｌｕｅｔｏｏｔｈ）］を設置し、前記出入口通路の前記エリア内に面する側に、携帯電話機をスリープ動作状態に切り替えるスリープ信号を送信する第２の通信手段を設置し、携帯電話機に、前記第１または第２の通信手段から送信される前記信号を受信することにより、該携帯電話機を受信待ち受け状態またはスリープ状態に切り替える制御手段を備えたことを特徴とする。
【００１４】
【発明の実施の形態】
図１は、本発明の実施形態のイメージを示す図であり、建物内で携帯電話機の使用ができない場所（例えば病院等）の出入口通路の屋外側と屋内（建物内）側に、第１，第２のブルートゥース固定局３０ａ、３０ｂを設置する。第１のブルートゥース固定局３０ａは、出入口通路の屋外側付近のみをカバーする微弱な電波により携帯電話機を通常の受信待ち受け状態に切り替えるパワーオン信号を送信する機能を有している。一方、第２のブルートゥース固定局３０ｂは、出入口通路の屋内（建物内）側付近のみをカバーする微弱な電波により携帯電話機をスリープ状態に切り替えるスリープ信号を送信する機能を有している。
【００１５】
図２は、本実施形態で用いられる携帯電話機の要部を示すブロック図であり、アンテナ１ａにより第１，第２のブルートゥース固定局３０ａ、３０ｂから受信したパワーオン信号またはスリープ信号に対して、ブルートゥースの通信規格に準拠した通信処理を行うブルートゥース通信部２を備えている。
【００１６】
制御部３は、ブルートゥース通信部２からスリープ信号情報を受けたときには携帯電話機２０の受信待ち受け動作を停止させスリープ動作に切り替えるとともに表示部４に『スリープ状態』を表示し、ブルートゥース通信部２からパワーオン信号情報を受けたときには携帯電話機２０を受信待ち受け動作状態に切り替えるとともに表示部４の『スリープ状態』表示を消す。
【００１７】
制御部３は、送受信部５により基地局との間で無線信号の送受信を行う無線電話機としての各種制御を行う。記憶部７は、制御部３によって制御される携帯電話機の基本制御プログラムと、このプログラムに係るデータを記憶するＲＯＭ、及び制御部３によって実行される各種アプリケーションプログラムとこれらプログラムに係るデータを一時的に記憶するワークエリアを有するＲＡＭを含む。
【００１８】
本実施形態では、ブルートゥース方式の通信システムを利用して携帯電話機の使用を制限するスリープ信号を送信するブルートゥース固定局３０ｂを、携帯電話機の使用（着信の呼び出し音や通話）により周囲にいる人に迷惑が掛かる場所（例えば、電車内や病院建物内等）の出入口通路の屋内（建物内）側に設置するとともに、携帯電話機の使用制限を解除するパワーオン信号を送信するブルートゥース固定局３０ａをこの出入口通路の屋外側に設置する。
【００１９】
例えば、出入口の扉が二重扉となっている場合には、外側の扉付近に携帯電話機の使用制限を解除するパワーオン信号を送信するブルートゥース固定局３０ａを設置し、内側の扉付近に携帯電話機の使用を制限するスリープ信号を送信するブルートゥース固定局３０ｂを設置する。各固定局の送信機はそれぞれの扉の近傍領域のみをカバーできる微弱な電波を送信する。
【００２０】
また、出入口の扉が一つの場合には、該扉の外側に指向性を有する電波を送信可能なブルートゥース固定局３０ａと、該扉の内側に指向性を有する電波を送信可能なブルートゥース固定局３０ｂを設置し、それぞれの固定局の送信機からは、扉の外側近傍領域と内側近傍領域をカバーできる微弱な電波を送信する。
【００２１】
図３は、携帯電話機が受信待ち受け動作状態からスリープ動作状態へ移行する場合のフロー図であり、図４は、携帯電話機がスリープ状態から受信待ち受け動作状態へ移行する場合のフロー図である。以下、図１〜図４を参照して、本実施形態の動作について説明する。
【００２２】
携帯電話機２０が受信待ち受け中（Ｓ１）、制御部３は携帯電話機２０の利用者がブルートゥース通信の圏外にいるか否かの判定を行っており（Ｓ２）、携帯電話機２０がブルートゥース通信の圏外にいる場合は、携帯電話機２０は待ち受け動作のままとなる（Ｓ３）。一方、携帯電話機２０の利用者がブルートゥース通信の圏内にいる場合（図１で見ると屋外のブルートゥース圏外から出入口通路のブルートゥース圏内へ入った場合）、ブルートゥース通信部２はアンテナ１ａを介してブルートゥース固定局３０と通信を行い、ブルートゥース固定局３０からスリープ信号とパワーオン信号の何れを受信したか判定する（Ｓ４）。
【００２３】
受信した信号がブルートゥース固定局３０ａから送信されたパワーオン信号である場合（Ｓ５）には、制御部３は、携帯電話機２０を受信待ち受け動作状態のまま維持する（Ｓ６）。一方、受信した信号がブルートゥース固定局３０ｂから送信されたスリープ信号である場合（Ｓ７）には、ブルートゥース通信部から制御部３にスリープ信号が送出され（Ｓ８）、制御部３は携帯電話機２０の待ち受け動作を停止させスリープ動作に設定して携帯電話機の機能を停止させる（Ｓ９）とともに、表示部４に表示データを送出して『スリープ状態』の表示をさせる（Ｓ１０）。以降、携帯電話機２０はスリープ動作状態となる（Ｓ１１）。
【００２４】
携帯電話機２０がスリープ動作状態中（Ｓ１１）も、制御部３は携帯電話機２０の利用者がブルートゥース通信の圏内にいるか否かの判定を行っており（Ｓ１２）、携帯電話機２０がブルートゥース通信の圏外にいる場合は、携帯電話機２０はスリープ動作状態のままとなる（Ｓ１３）。一方、携帯電話機２０の利用者がブルートゥース通信の圏内にいる場合（図１で見ると屋内のブルートゥース圏外から出入口通路のブルートゥース圏内へ入った場合）、ブルートゥース通信部２はアンテナ１ａを介してブルートゥース固定局３０と通信を行い、ブルートゥース固定局３０からスリープ信号とパワーオン信号の何れを受信したか判定する（Ｓ１４）。
【００２５】
受信した信号がブルートゥース固定局３０ｂから送信されたスリープ信号である場合（Ｓ１５）には、制御部３は、携帯電話機２０をスリープ動作状態のまま維持する（Ｓ１６）。一方、受信した信号がブルートゥース固定局３０ａから送信されたパワーオン信号である場合（Ｓ１７）には、ブルートゥース通信部から制御部３にパワーオン信号が送出され（Ｓ１８）、制御部３は携帯電話機２０のスリープ動作を停止させ受信待ち受け動作状態に設定する（Ｓ１９）とともに、表示部４に表示されていた『スリープ状態』の表示を消す（Ｓ２０）。以降、携帯電話機２０は受信待ち受け状態となる（Ｓ２１）。
【００２６】
従って、携帯電話機の利用者が屋外から屋内（建物内）に入る時に携帯電話機がスリープ信号により待ち受け動作状態からスリープ動作状態に自動的に切り替わり、また、利用者が屋内（建物内）から屋外に出る時に携帯電話機がスリープ動作状態から待ち受け動作状態に自動的に切り替わる。
【００２７】
また、パワーオン信号を送信するブルートゥース固定局３０ａは出入口通路の屋外側へ設置し、スリープ信号を送信するブルートゥース固定局３０ｂは出入口通路の屋内（建物内）側へ設置されているので、屋外の建物の入口近くにいる利用者の携帯電話機が誤ってスリープ動作状態に切り替わったり、屋内の入口近くにいる利用者の携帯電話機が誤って待ち受け動作状態に切り替わることはない。
【００２８】
図５は、本発明の第２の実施形態を示すフロー図である。本実施形態では、利用者がキー操作部６よりスリープ動作への自動切替を行うか否かを設定を出来る様にしている点で、第１の実施形態と相違するが、その他の構成は第１の実施形態と同様である。この実施形態は、例えば、携帯電話の使用が制限されている病院等の建物内において、執務室で職員が携帯電話を使用することを制限したくないような場合に有効である。
【００２９】
以下、本実施形態の特徴部分の動作についてのみ説明する。
【００３０】
携帯電話機２０が受信待ち受け中（Ｓ１）、制御部３は携帯電話機２０の利用者がブルートゥース通信の圏外にいるか否かの判定を行っており（Ｓ２）、携帯電話機２０がブルートゥース通信の圏外にいる場合は、携帯電話機２０は待ち受け動作のままとなる（Ｓ３）。一方、携帯電話機２０の利用者がブルートゥース通信の圏内にいる場合、ブルートゥース通信部２はアンテナ１ａを介してブルートゥース固定局３０と通信を行い、ブルートゥース固定局３０からスリープ信号とパワーオン信号の何れを受信したか判定する（Ｓ４）。
【００３１】
受信した信号がブルートゥース固定局３０ｂから送信されたスリープ信号である場合、スリープ動作への自動切替の設定がされているか否かの判定を行う（Ｓ７）。自動切替の設定がされている場合には、第１の実施形態と同様に、携帯電話機２０はスリープ動作状態とする（Ｓ１０〜Ｓ１４）。一方、スリープ動作への自動切替の設定がされていない場合には、制御部３は、表示部４に、スリープの設定が解除されていることを表示し（Ｓ８）、携帯電話機２０を受信待ち受け動作状態のままにする（Ｓ９）。
【００３２】
なお、上記実施形態では、第１及び第２の通信手段として、ブルートゥース（Ｂｌｕｅｔｏｏｔｈ）規格等に準じた無線通信手段を採用しているが、通信手段としては、ブルートゥースに限定されるものではなく、無線ＬＡＮ、非接触式ＩＣカード、赤外線通信、あるいはバーコード読み取り手段を携帯電話機に備え、出入り口ゲートに設けられた対応する送信機から信号を受信して切り替える、バーコードを読み取ることにより切り替える等、適宜の通信手段を採用することができる。
【００３３】
【発明の効果】
本発明によれば、電波の使用領域が、携帯電話機の使用を制限するエリアの出入口通路領域に限定されるので、微弱な電波により通信を行うことが可能であるとともに、携帯電話の使用を制限したいエリアの出入口に設けた携帯電話使用制限信号発生装置からの信号を受信した携帯電話機がエリア内外において所望の制御状態に確実に切り替えることができ、且つその状態を維持することができる。
【図面の簡単な説明】
【図１】本発明の実施形態のイメージを示す図である。
【図２】本実施形態で用いられる携帯電話機の要部を示すブロック図である。
【図３】本発明の第１の実施形態の動作を示すフロー図である。
【図４】本発明の第１の実施形態の動作を示すフロー図である。
【図５】本発明の第２の実施形態の動作を示すフロー図である。
【符号の説明】
１ａ、１ｂ、１ｃ  アンテナ
２  ブルートゥース通信部
３  制御部
４  表示部
５  送受信部
６  キー操作部
７  記憶部
２０  携帯電話機
３０，３０ａ，３０ｂ  ブルートゥース固定局
【図１】
2004153325.tif 000003
【図２】
2004153325.tif 000004
【図３】
2004153325.tif 000005
【図４】
2004153325.tif 000006
【図５】
2004153325.tif 000007